(57)【要約】【課題】テレビジョン画面上の座標を正確に検出する手段がこれまでに無かった。【解決手段】エリアごとに発光を制御し、その明滅によってエリアごとに異なる情報を発信する画像表示装置と、画像表示装置の画面上にあるエリアを指し示すとともに指し示したエリアが発信する情報を受信するポインティングデバイスとを備え、ポインティングデバイスが受信した情報によってポインティングデバイスが指し示しているエリアを特定し、画面上の座標を正確に検出する。【選択図】図１
2007156943.tif 000002
【特許請求の範囲】
【請求項１】
エリアごとに発光を制御し、その明滅によってエリアごとに異なる情報を発信する画像表示装置と、画像表示装置の画面上にあるエリアを指し示すとともに指し示したエリアが発信する情報を受信するポインティングデバイスとを備え、ポインティングデバイスが受信した情報によってポインティングデバイスが指し示しているエリアを特定し、画面上の座標を正確に検出すること特徴とするテレビジョン座標検出装置。
【請求項２】
明滅を人間の目で判別できない短い周期で行うことによって、表示している画像に影響を与えずに画面上の座標を正確に検出することを特徴とする請求項１に記載のテレビジョン座標検出装置。
【請求項３】
ポインティングデバイスがさらにユーザによって押下されるボタンを備え、ボタンの押下によって一時的に画面を光らせ、表示画像の輝度が低い場合でもボタンが押下された時点でポインティングデバイスが指し示しているエリアを特定し、画面上の座標を正確に検出すること特徴とする請求項１に記載のテレビジョン座標検出装置。
【発明の詳細な説明】
【技術分野】
【０００１】
本発明は、画像表示装置上の点の座標を検出する装置に関する。
【背景技術】
【０００２】
これまでに、さまざまなテレビジョン用のポインティングデバイスが提案されている。
【０００３】
例えば、特開平１１−９５９１１が一例として挙げられる。
【０００４】
その他に、テレビジョン用のポインティングデバイスとして広く普及している方式には、ブラウン管を用いた画像表示装置において、走査に要する時間をもとに画像表示装置上の点の座標を算出する方法などがある。
【０００５】
この方式について、図３を用いて説明する。
【０００６】
図３はブラウン管を用いた画像表示装置５００において、ポインティングデバイス６００が指す画面上の座標を検出する装置の概要図である。
【０００７】
５００はブラウン管を用いた画像表示装置である。
【０００８】
６００はポインティングデバイスであって、本デバイスの使用者によって押下されるボタン６０１と、図示しない光センサと、図示しない時間計測手段とを有する。
【０００９】
ポインティングデバイス６００は、画像表示装置５００の画面上の一点を指し示すとともに、ボタン６０１が押下されると画像表示装置５００に画面を光らせるように指示を出す。
【００１０】
ブラウン管の画面は図示したように走査され、画面上の点Ｃに到達すると、点Ｃを指し示しているポインティングデバイス６００に内蔵した光センサで検知される。
【００１１】
走査は一定の速度で行われるため、画面を光らせるように指示を出してから、その光が検知されるまでの時間を計測すれば、点Ｃの画面上の座標を算出することができる。
【特許文献１】特開平１１−９５９１１号公報
【発明の開示】
【発明が解決しようとする課題】
【００１２】
近年、テレビジョンは視聴するだけの従来の使い方だけではなく、インタラクティブに操作する使い方が増えているため、パーソナルコンピュータにおけるマウスのような、テレビジョン用のポインティングデバイスが求められている。これを実現するためには、ポインティングデバイスが指し示す画像表示装置上の座標を正確に検出する必要がある。
【００１３】
また、近年はブラウン管を用いた画像表示装置に代わって、液晶ディスプレイ、ＰＤＰなどの画像表示装置が普及している。これらの画像表示装置では走査による画像表示を行わないため、上述したような走査時間をもとにした座標検出ができない。また、画像表示装置に画質調整回路が組み込まれている場合などは、その回路における処理時間の遅延が発生し、走査時間をもとにした座標検出はその精度が低くなる課題があった。
【課題を解決するための手段】
【００１４】
そこで本発明では、液晶ディスプレイやＰＤＰなどの画像表示装置が表示エリアや画素単位で発光を制御できることを利用して、人間の目では判別できない短い周期で明滅させることによって、画像を表示しながら、表示エリアや画素ごとに異なる情報を発信する。ポインティングデバイスは画面上の一点を指し示すとともに、指し示した表示エリアや画素が発信する情報を受信し、この受信した情報をもとにして、指し示した表示画面上の座標を算出する。
【発明の効果】
【００１５】
上記よって、ポインティングデバイスが指し示す画像表示装置上の座標を正確に算出することができるので、精度が高く、操作性に優れたポインティングデバイスを実現することができる。
【発明を実施するための最良の形態】
【００１６】
（実施の形態１）
本発明にかかる実施の形態１について、図１を用いて説明する。
【００１７】
図１は本発明における画像表示装置１００上の座標を検出する装置の概要図である。
【００１８】
１００は画像表示装置であって、テレビジョンとしての画像表示機能を備えるとともに、画素ごとに発光を制御して、その明滅によって異なる情報を発信する。
【００１９】
なお、発光を制御するのは画素単位であってもよいし、複数の画素から構成されるエリアであってもよい。また、液晶ディスプレイのように発光源がバックライトであって、画素単位で発光しない場合には、そのバックライトの明滅であってもよい。また、発光は可視光以外の紫外線、赤外線、陰極線等であってもよい。
【００２０】
２００はポインティングデバイスであって、画像表示装置１００の画面上の一点を指し示すとともに、指し示した点が発信する情報を受信する。受信した情報は画素ごとに異なるため、指し示した点の座標を特定することができる。
【００２１】
図１では画素Ａと画素Ｂの発する情報が異なることを示しており、画素の明滅を簡易的に波形で表記している。ポインティングデバイス２００が画素Ａを指している場合、ポインティングデバイス２００は画素Ａが発する情報を受信する。この情報によって、ポインティングデバイス２００が画素Ａを指していることがわかる。
【００２２】
（実施の形態２）
一般的に画像表示装置１００で表示する画像の輝度が常に高いとは限らない。
【００２３】
実施の形態１において可視光で座標情報を伝達する場合、画像の輝度が低いとポインティングデバイス２００側で正しく情報を受信できない怖れがある。実施の形態２は、このように表示する画像の輝度が低く、かつ画像表示装置１００が可視光によって情報を送信する場合にポインティングデバイス２００が正しく情報を受信できないことを防ぐものである。
【００２４】
本発明にかかる実施の形態２について、図２を用いて説明する。
【００２５】
図２は本発明における画像表示装置３００上の座標を検出する装置の第二の概要図である。
【００２６】
３００は画像表示装置であって、テレビジョンとしての画像表示機能を備えるとともに、画素ごとに発光を制御して、その明滅によって異なる情報を発信する。
【００２７】
なお、発光を制御するのは画素単位であってもよいし、複数の画素から構成されるエリアであってもよい。また、液晶ディスプレイのように発光源がバックライトであって、画素単位で発光しない場合には、そのバックライトの明滅であってもよい。また、発光は可視光以外の紫外線、赤外線、陰極線等であってもよい。
【００２８】
４００はポインティングデバイスであって、画像表示装置３００の画面上の一点を指し示すとともに、指し示した点が発信する情報を受信する。
【００２９】
４１０はポインティングデバイスを構成する一つの部品であり、ポインティングデバイス４００の使用者によって押下されるボタンである。ボタンの押下は画像表示装置３００に伝達される。
【００３０】
なお、この伝達は一般的なリモートコントローラで使われる赤外線による通信であってもよいし、Ｂｌｕｅｔｏｏｔｈ（登録商標）などの無線通信であってもよいし、電導線などの有線通信であってもよい。
【００３１】
画像表示装置３００は、ボタン４１０が押下されたことを検知すると画面の輝度を一時的に上げることによって、ボタンの押下があったことをポインティングデバイス４００の使用者に知らせるとともに、ポインティングデバイス４００が正しく座標情報を受信できるようにする。
【００３２】
受信した情報は画素ごとに異なるため、ボタン４０１が押下されたときにポインティングデバイス４００が指し示していた点の座標を特定することができる。
【産業上の利用可能性】
【００３３】
本発明にかかるテレビジョン座標検出装置は、パーソナルコンピュータにおけるマウスと同様に、テレビジョンにおけるポインティングデバイス等として有用である。また、本発明にかかるテレビジョン座標検出装置は、画面のタッチセンサの代用としても適用できる。
【図面の簡単な説明】
【００３４】
【図１】本発明の実施の形態１におけるテレビジョン座標検出装置の概観を示した図
【図２】本発明の実施の形態２におけるテレビジョン座標検出装置の概観を示した図
【図３】従来例におけるテレビジョン座標検出装置の概観を示した図
【符号の説明】
【００３５】
１００、３００、５００    画像表示装置
２００、４００、６００    ポインティングデバイス
４１０、６１０    ボタン
【図１】
2007156943.tif 000003
【図２】
2007156943.tif 000004
【図３】
2007156943.tif 000005